(57)【要約】【課題】  側板に踏板を簡単に取り付けることができる、階段の踏板の取付構造を実現すること。【解決手段】  側板１の上面に溝７を形成し、踏板２の下面に溝８を形成し、両溝７、８に固定具６を嵌め込むことにより、側板１の上面に踏板２を取り付ける。固定具６は、上下左右の縁部が折り曲げて折曲部９が形成された形状とされ、折曲部９は、弾性変形可能とされる。固定具６を側板１の溝７に差し込み、側板１から突出した固定具６に上方から踏板２の溝８を嵌め込む。固定具６の折曲部９が撓んで先端が溝壁に押し付けられて、固定具６が側板１および踏板２に固定され、踏板２が側板１にしっかりと取り付けられる。【選択図】  図３
2007146393.tif 000002
【特許請求の範囲】
【請求項１】
側板の上面に溝が形成され、踏板の下面に溝が形成され、側板側の溝および踏板側の溝の両者に固定具を嵌め込んで上記側板の上面に上記踏板を取り付けるための構造であって、
上記固定具の上下の縁部が折り曲げられて折曲部とされ、
これら上下の折曲部の弾性によって上記固定具が上記側板および踏板の両者に固定されることを特徴とする階段の踏板の取付構造。
【請求項２】
上記上下の折曲部は、上記固定具の内側に向かって折り曲げられることにより弾性変形可能とされ、
上記固定具が上記側板側の溝内に嵌め込まれたとき、上記下側の折曲部の先端が当該側板側の溝の壁に線接触あるいは面接触し、他方上記固定具が上記踏板の溝内に嵌め込まれたとき、上記上側の折曲部の先端が当該踏板の溝内の壁に線接触あるいは面接触することを特徴とする請求項１に記載の階段の踏板の取付構造。
【請求項３】
側板の上面に溝が形成され、踏板の下面に溝が形成され、側板側の溝および踏板側の溝の両者に固定具を嵌め込んで上記側板の上面に上記踏板を取り付けるための構造であって、
上記固定具の上下左右の縁部が折り曲げられて折曲部とされ、
これら上下左右の折曲部の弾性によって上記固定具が上記側板および踏板の両者に固定されることを特徴とする階段の踏板の取付構造。
【請求項４】
上記上下左右の折曲部は、上記固定具の内側に向かって折り曲げられることにより弾性変形可能とされ、
上記固定具が上記側板側の溝内に嵌め込まれたとき、上記下側および左右両側の折曲部の先端が当該側板側の溝の壁に線接触あるいは面接触し、他方上記固定具が上記踏板の溝内に嵌め込まれたとき、上記上側および左右両側の折曲部の先端が当該踏板の溝内の壁に線接触あるいは面接触することを特徴とする請求項３に記載の階段の踏板の取付構造。
【請求項５】
上記折曲部とは反対側に上記固定具の一部が切り起こされて爪が上下に形成され、
これら上下の爪の先端は、所定の間隔を隔てて上記固定具の内側に向かっていることを特徴とする請求項１ないし４のいずれかに記載の階段の踏板の取付構造。
【請求項６】
側板の上面に溝が形成され、踏板の下面に溝が形成され、側板側の溝および踏板側の溝の両者に固定具を嵌め込んで上記側板の上面に上記踏板を取り付けるための方法であって、
上下の縁部を弾性変形可能なように折り曲げて折曲部とした固定具を用い、上記側板側の溝内に固定金具を嵌め込んで下側の折曲部の弾性により当該固定具を上記側板に固定し、この側板から突出した固定具に上記踏板側の溝を差し込んだ後に上記踏板をその上面側から押し込んで上記上側の折曲部の弾性により当該固定具を当該踏板に固定し、それによって上記踏板を上記側板に取り付けることを特徴とする階段の踏板の取付方法。
【請求項７】
側板の上面に溝が形成され、踏板の下面に溝が形成され、側板側の溝および踏板側の溝の両者に固定具を嵌め込んで上記側板の上面に上記踏板を取り付けるための方法であって、
上下左右の縁部を弾性変形可能なように折り曲げて折曲部とした固定具を用い、上記側板側の溝内に固定金具を嵌め込んで下側および左右両側の折曲部の弾性により当該固定具を上記側板に固定し、この側板から突出した固定具に上記踏板側の溝を差し込んだ後に上記踏板をその上面側から押し込んで上記上側および左右両側の折曲部の弾性により当該固定具を当該踏板に固定し、それによって上記踏板を上記側板に取り付けることを特徴とする階段の踏板の取付方法。
【発明の詳細な説明】
【技術分野】
【０００１】
本発明は、側板と踏板と蹴込板とからなる階段における踏板の取付構造および取付方法に関する。
【背景技術】
【０００２】
踏板を雛壇状に複数の段差を有する左右一対の側板に固定するとき、踏板の上面から釘を打ちつける。すると、踏板の上面に、釘の頭部が露出する。そこで、釘の頭部を覆い隠すために、踏板の周縁が幅木で覆われる。
【０００３】
このような踏板の取付構造では、釘を打つことによって、木製の踏板に割れが生じやすい。また、幅木を取り付ける作業が増え、施工時間が余計にかかってしまう。
【０００４】
そこで、釘や幅木を不要にした取付構造として、例えば特許文献１では、側板の差込溝にスペーサ部材を介して踏板の端部を差し込んで固定している。
【０００５】
【特許文献１】特開閉１１−２２２９９３号公報
【発明の開示】
【発明が解決しようとする課題】
【０００６】
特許文献１のようなスペーサ部材は、目に付かないように、踏板の下側に装着される。しかも、スペーサ部材は側板にねじ止めされ、スペーサ部材が抜けないようにされている。そのため、スペーサ部材の装着作業が非常にやりにくく、施工時間が長くなってしまう。
【０００７】
本発明は、上記技術的課題に鑑みなされたもので、踏板の取付作業が容易であるとともに、踏板を堅固に取り付けることができるようにした階段の踏板の取付構造および取付方法を提供することを目的とする。
【課題を解決するための手段】
【０００８】
第１の局面から観た発明は、側板の上面に溝が形成され、踏板の下面に溝が形成され、側板側の溝および踏板側の溝の両者に固定具を嵌め込んで上記側板の上面に上記踏板を取り付けるための構造であって、上記固定具の上下の縁部が折り曲げられて折曲部とされ、これら上下の折曲部の弾性によって上記固定具が上記側板および踏板の両者に固定される。
【０００９】
上記構成において、固定金具が側板および踏板の両者の溝に挿入されると、上下の折曲部が側板および踏板の両者の溝の壁に押されて撓む。このときの折曲部の弾性力によって、固定具が側板および踏板のそれぞれの溝に嵌め込まれるので、踏板は、側板に抜けることなく取り付けられる。
【００１０】
上記第１の局面から観た発明において、上記上下の折曲部は、上記固定具の内側に向かって折り曲げられることにより弾性変形可能とされ、上記固定具が上記側板側の溝内に嵌め込まれたとき、上記下側の折曲部の先端が当該側板側の溝の壁に線接触あるいは面接触し、他方上記固定具が上記踏板の溝内に嵌め込まれたとき、上記上側の折曲部の先端が当該踏板の溝内の壁に線接触あるいは面接触する。
【００１１】
上記構成によると、上下の折曲部が固定具の内側に向かって折り曲がっているので、固定具を溝に挿入するとき、固定具を側板および踏板の両者の溝に引っ掛かることなくスムーズに挿入できる。そして、固定具が側板および踏板の両者の溝に挿入されると、折曲部が側板および踏板の溝の壁に線接触あるいは面接触するので、固定具の当該各溝壁に対する摩擦力が増える。したがって、踏板を介して固定具に対して抜け出す方向に力がかかっても、折曲部の先端が上下方向から上記の各溝壁に食い込むようになり、踏板は動かない。その結果、踏板が側板から外れることはない。
【００１２】
第２の局面から観た発明は、側板の上面に溝が形成され、踏板の下面に溝が形成され、側板側の溝および踏板側の溝の両者に固定具を嵌め込んで上記側板の上面に上記踏板を取り付けるための構造であって、上記固定具の上下左右の縁部が折り曲げられて折曲部とされ、これら上下左右の折曲部の弾性によって上記固定具が上記側板および踏板の両者に固定される。
【００１３】
上記構成において、固定具が側板および踏板の両者の溝に挿入されると、上下左右の折曲部が側板および踏板の両者の溝の壁に押されて撓む。このときの折曲部の弾性力によって、固定具が側板および踏板のそれぞれの溝に嵌め込まれるので、踏板は、側板に抜けることなくより強固に取り付けられる。
【００１４】
上記第２の局面から観た発明において、上記上下左右の折曲部は、上記固定具の内側に向かって折り曲げられることにより弾性変形可能とされ、上記固定具が上記側板側の溝内に嵌め込まれたとき、上記下側および左右両側の折曲部の先端が当該側板側の溝の壁に線接触あるいは面接触し、他方上記固定具が上記踏板の溝内に嵌め込まれたとき、上記上側および左右両側の折曲部の先端が当該踏板の溝内の壁に線接触あるいは面接触する。
【００１５】
上記構成によると、上下左右の折曲部が固定具の内側に向かって折り曲がっているので、固定具を側板および踏板の両者の溝に挿入するとき、固定具を溝に引っ掛かることなくスムーズに挿入できる。そして、固定具が側板および踏板の両者の溝に挿入されると、上下左右の折曲部が側板および踏板の両者の溝壁に線接触あるいは面接触するので、固定具の当該各溝壁に対する摩擦力がより一層増える。したがって、踏板を介して固定具に対して抜け出す方向に力がかかっても、折曲部の先端が上下左右方向から上記の各溝壁に食い込むようになり、踏板は動かない。その結果、踏板が側板から外れるのをより効果的に防止できる。
【００１６】
上記第１の局面および第２の局面から観た発明において、上記折曲部とは反対側に上記固定金具の一部が切り起こされて爪が上下に形成され、これら上下の記爪の先端は上記固定具の内側に向かっていることが好ましい。この場合、固定具を側板および踏板の両者の溝に挿入するときには、爪は邪魔にならず、逆に当該各溝から抜くときには、上下の爪がそれぞれ楔として機能して側板および踏板の両者の溝の壁に食い込む。これによって、固定具は、上記の各溝からより一層抜けにくくなる。換言すると、踏板を持ち上げる力がかかっても、上下の爪各々が楔として側板および踏板の両者の溝の壁に引っ掛かって食い込むので、踏板および側板は固定具から抜け出すことはなく、しっかりと踏板を側板に固定することができる。
【００１７】
第３の局面から観た発明は、側板の上面に溝が形成され、踏板の下面に溝が形成され、側板側の溝および踏板側の溝の両者に固定具を嵌め込んで上記側板の上面に上記踏板を取り付けるための方法であって、上下の縁部を弾性変形可能なように折り曲げて折曲部とした固定具を用い、上記側板側の溝内に固定金具を嵌め込んで下側の折曲部の弾性により当該固定具を上記側板に固定し、この側板から突出した固定具に上記踏板側の溝を差し込んだ後に上記踏板をその上面側から押し込んで上記上側の折曲部の弾性により当該固定具を当該踏板に固定し、それによって上記踏板を上記側板に取り付ける。
【００１８】
上記構成によると、側板に固定具を嵌め込み、その上方から踏板を嵌め込むといった手順により、簡単に踏板を側板に取り付けることができる。
【００１９】
第４の局面から観た発明は、側板の上面に溝が形成され、踏板の下面に溝が形成され、側板側の溝および踏板側の溝の両者に固定具を嵌め込んで上記側板の上面に上記踏板を取り付けるための方法であって、上下左右の縁部を弾性変形可能なように折り曲げて折曲部とした固定具を用い、上記側板側の溝内に固定金具を嵌め込んで下側および左右両側の折曲部の弾性により当該固定具を上記側板に固定し、この側板から突出した固定具に上記踏板側の溝を差し込んだ後に上記踏板をその上面側から押し込んで上記上側および左右両側の折曲部の弾性により当該固定具を当該踏板に固定し、それによって上記踏板を上記側板に取り付ける。
【００２０】
上記構成によると、上記第３の局面から観た発明と同様、側板に固定具を嵌め込み、その上方から踏板を嵌め込むといった手順により、簡単に踏板を側板に取り付けることができる。
【００２１】
なお、上記「側板」とは、雛壇状に複数の段差を有する側板を含む概念である。
【発明の効果】
【００２２】
本発明によると、折曲部を有する固定具を用いて、側板の溝および踏板の溝に嵌め込むことによって、踏板を側板に簡単に取り付けることができる。このとき、側板に嵌め込まれた固定具に踏板を嵌め込むだけなので、常に外側から作業を行うことができ、作業性がよく、施工時間を短縮できる。また、固定具は外部に露出しないので、幅木のような目隠し用の部材が不要となる。
【００２３】
そして、固定具の縁部を当該固定具の内側に向かって折り曲げて折曲部を形成しているので、固定具の製作が容易である。この折曲部は弾性変形可能であるので、上記の各溝に嵌め込まれたとき、折曲部が押されて弾性復元しようとする力が生じる。これによって、固定具を側板および踏板の両者に堅固に固定することができる。しかも、折曲部の先端が上記各溝の壁に線接触あるいは面接触するので、折曲部と当該各溝壁との摩擦力が増大し、固定具が上記各溝から抜け出すことを防げ、踏板が側板から外れることを防止できる。
【発明を実施するための最良の形態】
【００２４】
以下、本発明の実施の形態を添付図面に基づき詳細に説明する。
【００２５】
＜実施の形態１＞
図１を参照して、本実施の形態１が適用される階段は、左右一対の側板１と、側板１に固定される踏板２と、蹴込板３とから構成される。特に、木製の側板１は、複数の段差４を有する雛壇状に形成される。
【００２６】
図２を参照して、踏板２は、側板１の各段差４の上面に載置され、段差４よりも前方に突出する。この踏板２の突出した部分の下面には、左右方向に差込溝５が形成される。
【００２７】
他方、蹴込板３は、側板１の前壁に沿って立てられ、蹴込板３の下端に踏板２の後端が当接している。この蹴込板３の上端は、踏板２の差込溝５に差し込まれ、蹴込板３が固定される。
【００２８】
図３を参照して、上記の踏板２は、側板１に固定具６によって取り付けられた構造とされる。具体的には、側板１の段差４の上面には、固定具６を差し込むための前後一対の溝７が形成され、他方踏板２の下面の左右両端に、固定具６を差し込むための前後一対の溝８が形成されている。踏板２を側板１に載せたとき、側板１の溝７と踏板２の溝８とは互いに対向する。
【００２９】
図４を参照して、本実施の形態１における固定具６は、ステンレス鋼あるいはアルミニウム製の平板からなり、上下左右の縁部が折り曲げられて折曲部９とされる。上側および下側の折曲部９は、上側の縁部および下側の縁部の中央片１０を固定具６の中央に向かうように内側に向かって折り曲げて形成される。他方、左右の折曲部９は、左側の縁部および右側の縁部を固定具６の中央に向かうように内側に向かって折り曲げて形成される。このように上下左右の折曲部９を内側に向かって折り曲げることにより、各折曲部９は弾性変形可能となる。よって、上下左右の折曲部９に内側に向かう力がかかると、各折曲部９は内側に撓むが、この力がなくなると、各折曲部９は、元の状態に復元する。
【００３０】
上下左右の折曲部９の高さは、側板１および踏板２の各溝７，８の前後方向の幅よりも大とされる。また、固定具６の上下方向の長さは、側板１の溝７と踏板２の溝８とが合わさってできる溝の上下方向の長さとほぼ同じとされる。固定具６の左右方向の長さは、側板１および踏板２の各溝７，８の左右方向の長さとほぼ同じとされる。
【００３１】
ここで、主に図３を参照して、上記の固定具６を用いた踏板２の取付方法を説明する。
【００３２】
まず、側板１の段差４の上面の溝７に、固定具６を差し込む。固定具６の折曲部９の高さは溝７の幅よりも大きいが、折曲部９は、側板１の溝７の上縁に押されて撓む。これにより、固定具６を側板１の溝７に挿入できる。固定具６が溝７の底まで嵌め込まれると、折曲部９の先端は、溝７の壁に線接触、場合によっては面接触する。このとき、撓んでいる折曲部９は弾性により復元しようとするが、溝７の壁に阻まれ、固定具６自体が溝７の壁に密接するとともに、折曲部９の先端は溝７の反対側の壁に食い込むようになる。その結果、固定具６は、側板１に固定される。
【００３３】
固定具６の上側は、側板１から上方に突出している。踏板２を上方からこの固定具６に合わせて押し下げる。このとき、木槌やハンマー等によって踏板２の上面を叩きながら、踏板２の溝８に固定具６を差し込んでいく。そうすると、踏板２が側板１の段差４の上面に密着して、固定具６が踏板２に嵌め込まれる。
【００３４】
固定具６が側板１の溝７および踏板２の溝８に嵌め込まれたとき、折曲部９の先端は、溝７，８の両者の壁に接触している。踏板２を側板１から抜く方向に力がかかると、折曲部９の先端は抜く方向とは逆の方向に向いているので、折曲部９の先端が上記の溝壁に食い込むことになり、固定具６から踏板２は外れない。また、上下方向の力だけでなく、左右方向の力に対しても、左右の折曲部９の作用により、踏板２は横ずれしない。
【００３５】
上記のようにして、踏板２は、固定具６を介して簡単に抜けないように側板１に取り付けられる。
【００３６】
＜実施の形態２＞
図５を参照して、本実施の形態２の踏板２を側板１に取り付ける際に利用される固定具６の特徴は、上側および下側のみに折曲部９を有し、これら上下の折曲部９が当該固定具６の左右方向全長にわたって形成されている点にあり、その他の構成は、上記実施の形態１で開示した固定具６と同じである。
【００３７】
本実施の形態２に係る固定具６では、折曲部９の先端と溝７，８の両者の壁とが線接触するが、接触する面積が大きくなっている。したがって、折曲部９の上記溝壁に対する摩擦力が大となり、より一層固定具６は溝７，８から抜けにくくなり、踏板２を側板１に堅固に取り付けることができる。
【００３８】
＜実施の形態３＞
図６を参照して、本実施の形態３の踏板２を側板１に取り付ける際に利用される固定具６の特徴は、上側および下側のみに折曲部９を有し、これら上下の折曲部９が当該固定具６の左右方向に３分割されて形成されている点にあり、その他の構成は、上記実施の形態１で開示した固定具６と同じである。
【００３９】
本実施の形態３に係る固定具６では、上下の折曲部９の個々の左右方向の長さが短いので、各折曲部９は撓みやすい。それゆえ、溝７，８に対して固定具６が斜めになって差し込まれた場合でも、各折曲部９は必ず溝７．８の両者の壁に接触するので、固定具６が溝７，８から抜け出すことはない。また、上記溝壁に凹凸があっても、それぞれの折曲部９は当該溝壁に応じて撓むので、固定具６は溝７，８にしっかりと嵌め込まれる。
【００４０】
＜実施の形態４＞
図７を参照して、本実施の形態４の踏板２を側板１に取り付ける際に利用される固定具６の特徴は、上下方向に沿って山谷が連続するように蛇腹状に折り曲げられている点にある。換言すると、折曲部１１が上下だけでなく、中間にも形成されることにより、折曲部１１が、一側の面には２つ、他側の面には３つとなり、しかも固定具６の上縁と下縁とは、同じ一側の面に位置している。なお、固定具６の前後方向の幅は、各溝７、８の前後方向の幅よりも大とされる。
【００４１】
＜実施の形態５＞
図８を参照して、本実施の形態５の踏板２を側板１に取り付ける際に利用される固定具６では、上記実施の形態４で開示した固定具６と同様、蛇腹状に折り曲げられている。ただし、折り曲げられる回数が上記実施の形態４に係る固定具６よりも少なく、折曲部１１は、一側の面には１つ、他側の面には２つとなっている。
【００４２】
＜実施の形態６＞
図９を参照して、本実施の形態５に係る踏板２を側板１に取り付ける際に利用される固定具６は、上記実施の形態５で開示した固定具６と基本的には同じであるが、折曲部１１の曲率が大きくされている点に特徴を有している。
【００４３】
＜実施の形態７＞
図１０を参照して、本実施の形態７に係る踏板２を側板１に取り付ける際に利用される固定具６は、上記実施の形態７で開示した固定具６と同様、蛇腹状に折り曲げられている。ただし、固定具６の上縁と下縁とは、互いに反対側に位置し、且つ、折曲部１１は、一側の面および他側の面ともに２つとなっている。
【００４４】
＜実施の形態８＞
図１１を参照して、本実施の形態８に係る踏板２を側板１に取り付ける際に利用される固定具６は、実施の形態７で開示した固定具６と基本的には同じであるが、折曲部１１の曲率が大きくされている点に特徴を有する。
【００４５】
上述した実施の形態４〜実施の形態８のいずれの実施の形態に係る固定具６においても、固定具６が側板１および踏板２の溝７，８に嵌め込まれたとき、各折曲部１１の先端が当該両側の溝７，８の壁に線接触する。このとき、固定具６は撓んで上下方向に伸びようとするが、固定具６の上縁および下縁は側板１の溝７および踏板２の溝８に規制されるので、各折曲部１１の先端が当該各溝壁に食い込んでいく。したがって、固定具６は側板１の溝７および踏板２の溝８にしっかりと嵌め込まれ、踏板２は側板１に堅固に取り付けられる。
【００４６】
＜実施の形態９＞
図１２を参照して、本実施の形態９に係る踏板２を側板１に取り付ける際に利用される固定具６では、上下に折曲部１２が形成されるとともに、爪１３が形成されている。上側の折曲部１２と下側の折曲部１２とは、互いに反対側に位置する。爪１３は、上下にそれぞれ設けられ、固定具６の一部が切り起こされることにより爪１３が形成される。上側の爪１３は、上側の折曲部１２とは反対側に位置し、爪１３の先端は固定具６の内側を向いている。下側の爪１３も同様である。すなわち、本実施の形態９に係る固定具６は、側面から見て、点対称な形状とされる。
【００４７】
側板１の溝７と踏板２の溝８とが前後方向にずれている場合に、本実施の形態９に係る固定具６を用いるのが好適である。すなわち、側板１の溝７に固定具６を差し込むと、折曲部１２の先端が当該溝７の一方の壁に接触し、爪１３が楔のように当該溝７の反対側の壁に接触する。折曲部１２の弾性力により、折曲部１２の先端および爪１３がそれぞれ上記溝壁に押し付けられ、固定具６の下側は側板１の溝７にしっかりと嵌め込まれる。
【００４８】
固定具６の上側は、側板２から斜め上に突出する。この固定具６の上側に踏板２の溝８を嵌めながら、踏板２を押し下げる。そうすると、固定具６の上側が踏板２の溝８に差し込まれ、上記と同じ態様で、踏板２の溝８にしっかりと嵌め込まれる。これにより、踏板２を側板１に堅固に取り付けることができる。
【００４９】
なお、本発明は上記実施の形態１〜実施の形態９に限定されるものではなく、本明細書に添付した特許請求の範囲内での種々の設計変更および修正を加え得ることは勿論である。
【産業上の利用可能性】
【００５０】
本発明では、踏板の取付作業が容易であるとともに、踏板を堅固に取り付けることができるゆえ、側板と踏板と蹴込板とからなる階段における踏板の取付構造および取付方法にとして有用である。
【図面の簡単な説明】
【００５１】
【図１】本発明の実施の形態１に係る固定具を利用して踏板を側板に取り付ける途中の階段の斜視図である。
【図２】同固定具を利用して踏板を側板に取り付ける途中の階段の側面図である。
【図３】同固定具を利用して踏板を側板に取り付けるための手順を拡大して示す斜視図である。
【図４】同固定具の構成を示しており、同図（ａ）は平面図、同図（ｂ）は正面図、同図（ｃ）は側面図、同図（ｄ）は踏板を側板に取り付けたときの断面図である。
【図５】本発明の実施の形態２に係る踏板を側板に取り付ける際に利用される固定具の構成を示しており、同図（ａ）は正面図、同図（ｂ）は踏板を側板に取り付けたときの断面図である。
【図６】本発明の実施の形態３に係る踏板を側板に取り付ける際に利用される固定具の構成を示しており、同図（ａ）は正面図、同図（ｂ）は平面図、同図（ｃ）は側面図、同図（ｄ）は踏板を側板に取り付けたときの断面図である。
【図７】本発明の実施の形態４に係る踏板を側板に取り付ける際に利用される固定具の構成を示しており、同図（ａ）は正面図、同図（ｂ）は側面図である。
【図８】本発明の実施の形態５に係る踏板を側板に取り付ける際に利用される固定具の構成を示しており、同図（ａ）は正面図、同図（ｂ）は側面図である。
【図９】本発明の実施の形態６に係る踏板を側板に取り付ける際に利用される固定具の構成を示しており、同図（ａ）は正面図、同図（ｂ）は側面図である。
【図１０】本発明の実施の形態７に係る踏板を側板に取り付ける際に利用される固定具の構成を示しており、同図（ａ）は正面図、同図（ｂ）は側面図である。
【図１１】本発明の実施の形態８に係る踏板を側板に取り付ける際に利用される固定具の構成を示しており、同図（ａ）は正面図、同図（ｂ）は側面図である。
【図１２】本発明の実施の形態９に係る踏板を側板に取り付ける際に利用される固定具の構成を示しており、同図（ａ）は斜視図、同図（ｂ）は踏板を側板に取り付けたときの断面図である。
【符号の説明】
【００５２】
１  側板
２  踏板
３  蹴込板
４  段差
６  固定具
７  側板の溝
８  踏板の溝
９、１１、１２  折曲部
１３  爪
【図１】
2007146393.tif 000003
【図２】
2007146393.tif 000004
【図３】
2007146393.tif 000005
【図４】
2007146393.tif 000006
【図５】
2007146393.tif 000007
【図６】
2007146393.tif 000008
【図７】
2007146393.tif 000009
【図８】
2007146393.tif 000010
【図９】
2007146393.tif 000011
【図１０】
2007146393.tif 000012
【図１１】
2007146393.tif 000013
【図１２】
2007146393.tif 000014